(57)【要約】【課題】流体に近い密度を有する粒子の流体からの分離性能に優れる固液分離装置および固液分離方法を提供する。【解決手段】固体粒子を含む被処理液から固体粒子を含む濃縮液と処理液とに分離するための分離手段として曲がりチャネル１０を有し、曲がりチャネル１０は、曲率を有する壁面を含む流路を有し、流路の内壁面の一部がスリップ壁面である、固液分離装置１である。【選択図】図１
2020093230.tif 000002
【特許請求の範囲】
【請求項１】
固体粒子を含む被処理液から前記固体粒子を含む濃縮液と処理液とに分離するための分離手段を有する固液分離装置であって、
前記分離手段は、曲率を有する壁面を含む流路を有し、前記流路の内壁面の一部がスリップ壁面であることを特徴とする固液分離装置。
【請求項２】
請求項１に記載の固液分離装置であって、
前記分離手段は、上壁面と下壁面と曲率を有する側壁面とを含む流路を有し、前記上壁面または前記下壁面の少なくとも一部がスリップ壁面であることを特徴とする固液分離装置。
【請求項３】
請求項１または２に記載の固液分離装置であって、
前記スリップ壁面上での壁面流速は、０より大きいことを特徴とする固液分離装置。
【請求項４】
請求項１〜３のいずれか１項に記載の固液分離装置であって、
前記スリップ壁面は、撥水加工処理が施された壁面、または撥水素材が使用された壁面であることを特徴とする固液分離装置。
【請求項５】
請求項１〜４のいずれか１項に記載の固液分離装置と、
前記処理液の液質を測定する処理液質測定手段と、
を備え、
前記処理液質測定手段は、濁度、色度、有機物濃度、粒子径、および粒子径分布のうちの少なくとも１つを測定する手段であることを特徴とする水質測定装置。
【請求項６】
固体粒子を含む被処理液から前記固体粒子を含む濃縮液と処理液とに分離する分離工程を含み、
前記分離工程は、曲率を有する壁面を含む流路を用いて行い、前記流路の内壁面の一部がスリップ壁面であることを特徴とする固液分離方法。
【請求項７】
請求項６に記載の固液分離方法であって、
前記分離工程は、上壁面と下壁面と曲率を有する側壁面とを含む流路を用いて行い、前記上壁面または前記下壁面の少なくとも一部がスリップ壁面であることを特徴とする固液分離方法。
【請求項８】
請求項６または７に記載の固液分離方法であって、
前記スリップ壁面上での壁面流速は、０より大きいことを特徴とする固液分離方法。
【請求項９】
請求項６〜８のいずれか１項に記載の固液分離方法であって、
前記スリップ壁面は、撥水加工処理が施された壁面、または撥水素材が使用された壁面であることを特徴とする固液分離方法。
【請求項１０】
請求項６〜９のいずれか１項に記載の固液分離方法と、
前記処理水の水質を測定する処理水質測定工程と、
を含み、
前記処理水質測定工程において、濁度、色度、有機物濃度、粒子径、および粒子径分布のうちの少なくとも１つを測定することを特徴とする水質測定方法。
【発明の詳細な説明】
【技術分野】
【０００１】
本発明は、固体と液体を分離する固液分離装置、固液分離方法、およびその固液分離装置または固液分離方法を用いた水質測定装置、水質測定方法に関する。
【背景技術】
【０００２】
固体と液体を分離する固液分離装置として、流体から流体と同じ密度を有する中立浮力粒子を分離するシステムであって、遠心力を導入して中立浮力粒子がチャネルの中心からチャネルの渦巻きの中心側の方へずれた管状帯を流体中に形成するように適合された湾曲したチャネル形状を有する渦巻き状チャネルと、管状帯が流れる流体のための第１の出口と、残りの流体のための第２の出口と、を有し、管状帯が渦巻き状チャネル内で遠心力、壁揚力とサフマン慣性揚力、マグヌス力との平衡と、ディーン渦流の発生に基づき非対称的に流れ、流体が、液体であるシステムが知られている（特許文献１参照）。
【０００３】
特許文献１のシステムでは、上記各力の平衡が不安定であったり、ディーン渦流の発達が不十分である場合、粒子の分離性能が著しく低下する。また、特許文献１のシステムは、流体から流体と同じ密度を有する中立浮力粒子を分離するシステムではあるが、流体と異なる密度であるが流体に近い密度を有する粒子の分離性能が十分ではない。
【先行技術文献】
【特許文献】
【０００４】
【特許文献１】特許第５７３１０９６号公報
【発明の概要】
【発明が解決しようとする課題】
【０００５】
本発明の目的は、流体に近い密度を有する粒子の流体からの分離性能に優れる固液分離装置および固液分離方法、ならびにその固液分離装置または固液分離方法を用いた水質測定装置および水質測定方法を提供することにある。
【課題を解決するための手段】
【０００６】
本発明は、固体粒子を含む被処理液から前記固体粒子を含む濃縮液と処理液とに分離するための分離手段を有する固液分離装置であって、前記分離手段は、曲率を有する壁面を含む流路を有し、前記流路の内壁面の一部がスリップ壁面である、固液分離装置である。
【０００７】
前記固液分離装置において、前記分離手段は、上壁面と下壁面と曲率を有する側壁面とを含む流路を有し、前記上壁面または前記下壁面の少なくとも一部がスリップ壁面であることが好ましい。
【０００８】
前記固液分離装置において、前記スリップ壁面上での壁面流速は、０より大きいことが好ましい。
【０００９】
前記固液分離装置において、前記スリップ壁面は、撥水加工処理が施された壁面、または撥水素材が使用された壁面であることが好ましい。
【００１０】
本発明は、前記固液分離装置と、前記処理液の液質を測定する処理液質測定手段と、を備え、前記処理液質測定手段は、濁度、色度、有機物濃度、粒子径、および粒子径分布のうちの少なくとも１つを測定する手段である、水質測定装置である。
【００１１】
本発明は、固体粒子を含む被処理液から前記固体粒子を含む濃縮液と処理液とに分離する分離工程を含み、前記分離工程は、曲率を有する壁面を含む流路を用いて行い、前記流路の内壁面の一部がスリップ壁面である、固液分離方法である。
【００１２】
前記固液分離方法において、前記分離工程は、上壁面と下壁面と曲率を有する側壁面とを含む流路を用いて行い、前記上壁面または前記下壁面の少なくとも一部がスリップ壁面であることが好ましい。
【００１３】
前記固液分離方法において、前記スリップ壁面上での壁面流速は、０より大きいことが好ましい。
【００１４】
前記固液分離方法において、前記スリップ壁面は、撥水加工処理が施された壁面、または撥水素材が使用された壁面であることが好ましい。
【００１５】
本発明は、前記固液分離方法と、前記処理水の水質を測定する処理水質測定工程と、を含み、前記処理水質測定工程において、濁度、色度、有機物濃度、粒子径、および粒子径分布のうちの少なくとも１つを測定する、水質測定方法である。
【発明の効果】
【００１６】
本発明では、流体に近い密度を有する粒子の流体からの分離性能に優れる固液分離装置および固液分離方法、ならびにその固液分離装置または固液分離方法を用いた水質測定装置および水質測定方法を提供することができる。
【図面の簡単な説明】
【００１７】
【図１】本発明の実施形態に係る固液分離装置の一例を示す概略構成図である。
【図２】本発明の実施形態に係る固液分離装置における曲がりチャネルの流路断面の一例を示す概略図である。
【図３】（ａ）ノンスリップ面における流速分布を示す概略図であり、（ｂ）スリップ面における流速分布を示す概略図である。
【図４】本発明の実施形態に係る凝集分離装置の一例を示す概略構成図である。
【図５】従来のジャーテストによる凝集条件決定方法の一例を示す概略図である。
【発明を実施するための形態】
【００１８】
本発明の実施の形態について以下説明する。本実施形態は本発明を実施する一例であって、本発明は本実施形態に限定されるものではない。
【００１９】
本発明の実施形態に係る固液分離装置の一例の概略を図１に示し、その構成について説明する。
【００２０】
本実施形態に係る固液分離装置１は、固体粒子を含む被処理液から固体粒子を含む濃縮液と処理液とに分離するための分離手段として、曲がりチャネル１０を有する。曲がりチャネル１０は、曲率を有する壁面を含む流路を有し、流路の内壁面の一部がスリップ壁面である。固液分離装置１は、固体粒子が濃縮された濃縮液を曲がりチャネル１０から取り出す出口ライン１４と、処理液を曲がりチャネル１０から取り出す処理液ライン１６と、を有してもよい。
【００２１】
図１に示す固液分離装置１において、曲がりチャネル１０の被処理液入口には、被処理液ライン１２が接続されている。曲がりチャネル１０の濃縮液出口には、出口ライン１４が接続され、処理液出口には、処理液ライン１６が接続されている。
【００２２】
本実施形態に係る固液分離方法および固液分離装置１の動作について説明する。
【００２３】
図１の固液分離装置１において、固体粒子を含む被処理液は、被処理液ライン１２を通して、曲がりチャネル１０へ送液される。
【００２４】
被処理液は、曲がりチャネル１０の被処理液入口から渦巻き状チャネルの流路に導入され、流路を流れていくと、固体粒子と液体との密度差と重力と流体力学的作用とにより、流路の例えば外周側の処理液と流路の例えば内周側の濃縮液とに分離される（分離工程）。濃縮液は、出口ライン１４を通して排出され、処理液は、処理液ライン１６を通して排出される（分離工程）。
【００２５】
曲がりチャネル１０は、被処理液を流入するための被処理液入口と、流体が流れるための例えば矩形状の流路を有する配管が渦巻き状に形成された渦巻き状チャネルと、処理液を排出するための、流路の例えば外周側から分かれた処理液出口と、濃縮液を排出するための、流路の例えば内周側から分かれた濃縮液出口と、を有する。図２に曲がりチャネル１０の流路の断面を示すが、固体粒子を含む被処理液が被処理液入口から渦巻き状チャネルに導入されると、矩形状の流路の断面には二次流れ（ディーン渦）が生じる。これは遠心力による外向きの流れと、直進しようとする流れが外壁により強制的に曲げられることによる内向きへの圧力によるものである。
【００２６】
固体粒子はこの二次流れ（ディーン渦）の中では内周側に集まるとされるが、固体粒子の密度、流路中を流れる流体の流束、流路の曲率等のバランスによっては、固体粒子が外周側に集まる場合もある。この場合には、曲がりチャネル１０は、流路の内周側から分かれた処理液出口と、流路の外周側から分かれた濃縮液出口と、を有していてもよい。曲がりチャネル１０は、曲がりチャネル１０における固体粒子の密度、流路中を流れる流体の流束、流路の曲率等のバランスを調整することにより、固体粒子と液体との密度差と、重力と、流体力学的作用とによって、被処理液から固体粒子を分離することができる。
【００２７】
本実施形態に係る固液分離装置１では、曲がりチャネル１０の流路の内壁面の一部がスリップ壁面である。例えば、曲がりチャネル１０の流路の上下内壁面のうちいずれか一方は、スリップ面であり、残りの内壁面は、ノンスリップ面である。粘性流体を通水した場合、例えば未処理の壁面では流体摩擦抵抗によって、壁面流速は０となる。これをノンスリップ面という（図３（ａ）参照）。一方、例えば撥水性の壁面では流体摩擦抵抗の軽減効果が得られるため、壁面流速は０とならない。これをスリップ面という（図３（ｂ）参照）。例えば、流路の断面が図２に示すように矩形状の場合、曲がりチャネル１０の流路の下内壁面はスリップ面であり、残りの３内壁面（上内壁面および両側内壁面）はノンスリップ面である。例えば、流路の断面が円状や楕円状の場合、曲がりチャネル１０の流路の下内壁面はスリップ面であり、残りの内壁面はノンスリップ面である。なお、流路の断面が円状や楕円状の場合の下内壁面とは、流路の下半分のことを指す。また、下内壁面とは、固液分離装置１を使用する際に下側（重力方向）に位置する面のことを言う。
【００２８】
曲がりチャネル１０の流路の内壁面の一部がスリップ壁面であることにより、従来の曲がりチャネルに比べて、流路下部のディーン渦流における、流路内側への戻り流れが弱まり、流路外側下部へ固体粒子が集まりやすくなり、固液分離精度が向上する。したがって、流体に近い密度を有する粒子の流体からの分離性能に優れる。
【００２９】
曲がりチャネル１０の流路のスリップ壁面上での壁面流速は、０より大きければよい。
【００３０】
流路の内壁面をスリップ壁面とする方法としては、例えば、フッ素樹脂、シリコン系樹脂等による撥水加工処理や、フッ素樹脂、シリコン系樹脂等の撥水素材の使用等が挙げられる。
【００３１】
曲がりチャネル１０は、曲率を有する壁面を含む流路を有するものであればよく、特に制限はない。曲がりチャネル１０は、例えば、曲率を有する壁面を含む流路を有する配管が渦巻き状に形成されたものである。曲がりチャネル１０の流路の断面形状は、矩形状、円状、楕円状等が挙げられ、ディーン渦の形成のためには、流路の断面形状が矩形状であることが望ましい。すなわち、曲がりチャネル１０は、上壁面と下壁面と曲率を有する側壁面とを含む流路を有し、上壁面または下壁面の少なくとも一部がスリップ壁面であることが好ましい。
【００３２】
曲がりチャネル１０は、固体粒子の分離の目的に応じて決められた所定の曲率、長さ、および幅を有することが好ましい。
【００３３】
固体粒子の分離に最適となる曲がりチャネルの仕様は、固体粒子の性状（密度、粒子径等）によって変化するため、流動解析ソフトを用いて決定することが望ましい。流動解析ソフトとしては、例えば、「ＡＮＳＹＳ  Ｆｌｕｅｎｔ」（ＡＮＳＹＳ社）等が挙げられる。
【００３４】
上記の通り、曲がりチャネル１０における固体粒子の密度、流路中を流れる流体の流束、流路の曲率等のバランスを調整することにより、固体粒子の分離を行うことができる。
【００３５】
本実施形態に係る固液分離方法および固液分離装置における処理対象は、固体粒子を含む液体であればよく、特に制限はない。例えば、凝集分離処理における固液分離、センチメートルからマイクロメートルサイズの配管やチャネルにおける固体粒子の選択的な制御や分離等において用いることができる。
【００３６】
本実施形態に係る固液分離方法および固液分離装置を用いて、凝集分離処理を行ってもよいし、凝集分離処理における水質測定を行ってもよい。以下にその一例を示す。
【００３７】
本発明の実施形態に係る水質測定装置は、上記固液分離装置と、処理液の液質を測定する処理液質測定手段と、を備え、処理液質測定手段は、濁度、色度、有機物濃度、粒子径、および粒子径分布のうちの少なくとも１つを測定する手段である。水質測定装置は、例えば、被処理水に凝集剤を添加するための凝集剤添加手段と、凝集剤が添加されて形成されたフロックを含む濃縮水と処理水とに分離するための分離手段と、を備える凝集分離装置と；処理水の水質を測定する処理水質測定手段と；を備え、分離手段が上記固液分離装置である。凝集分離装置は、被処理水と凝集剤とを混和するための混和手段と、混和された混和液中にフロックを形成するためのフロック形成手段と、をさらに備えてもよい。上記固液分離装置を、混和手段や、フロック形成手段として用いてもよい。
【００３８】
本発明の実施形態に係る水質測定方法は、上記固液分離方法と、処理水の水質を測定する処理水質測定工程と、を含み、処理水質測定工程において、濁度、色度、有機物濃度、粒子径、および粒子径分布のうちの少なくとも１つを測定する方法である。水質測定方法は、例えば、被処理水に凝集剤を添加する凝集剤添加工程と、凝集剤が添加されて形成されたフロックを含む濃縮水と処理水とに分離する分離工程と、を含む凝集分離方法と；処理水の水質を測定する処理水質測定工程と；を含み、分離工程において上記固液分離装置（上記固液分離方法）を用いる。凝集分離方法は、被処理水と凝集剤とを混和する混和工程と、混和された混和液中にフロックを形成するフロック形成工程と、をさらに含んでもよい。混和工程や、フロック形成工程において、上記固液分離装置を用いてもよい。
【００３９】
本実施形態に係る水質測定装置の一例の概略を図４に示し、その構成について説明する。
【００４０】
図４に示す水質測定装置３は、例えば、被処理水に凝集剤を添加するための凝集剤添加手段として凝集剤添加配管３０と、凝集剤と被処理水とを混和する混和手段としてラインミキサ１８と、混和された混和液中にフロックを形成するフロック形成手段、および形成されたフロックを含む濃縮水と処理水とに分離する分離手段として、上記固液分離装置１と、処理水の水質を測定する処理水質測定手段として処理水質測定装置２０と、を備える。
【００４１】
図４の水質測定装置３において、ラインミキサ１８の入口に被処理水配管２２が接続されている。ラインミキサ１８の出口と曲がりチャネル１０の混和液入口とは、混和液配管２４により接続されている。曲がりチャネル１０の濃縮水出口には、濃縮水配管２６が接続され、処理水出口には、処理水配管２８が接続されている。被処理水配管２２には、凝集剤添加配管３０が接続されている。処理水配管２８には、処理水質測定装置２０が設置されている。
【００４２】
本実施形態に係る水質測定方法、および固液分離装置１を備える水質測定装置３の動作について説明する。
【００４３】
図４の水質測定装置３において、懸濁物質等を含む被処理水は、被処理水配管２２を通して、ラインミキサ１８へ送液される。ここで、被処理水配管２２において、凝集剤添加配管３０を通して被処理水に凝集剤が添加され（凝集剤添加工程）、ラインミキサ１８において、凝集剤と被処理水とが撹拌されて混和される（混和工程）。凝集剤と被処理水とが混和された混和液は、混和液配管２４を通して、曲がりチャネル１０へ送液される。
【００４４】
混和液は、曲がりチャネル１０の混和液入口から渦巻き状チャネルの流路に導入され、流路における流体力学的作用により撹拌が行われ、凝集剤と被処理水との混和、凝集により形成された微細なフロック同士が衝突して、フロックの粒子径が成長する（フロック形成工程）。流路を流れていくと、水とフロックとの密度差と重力と流体力学的作用とにより、流路の例えば外周側の処理水と流路の例えば内周側の濃縮水とに分離される（分離工程）。濃縮水は、濃縮水配管２６を通して排出され、処理水は、処理水配管２８を通して排出される（以上が、凝集分離工程）。
【００４５】
次に、処理水配管２８において、処理水質測定装置２０によって、処理水の水質が測定される（処理水質測定工程）。
【００４６】
図５に、回転数を制御できる複数の撹拌翼を備えるジャーテスタと呼ばれる試験装置を用い、凝集、固液分離に最適な凝集剤の添加量等を決定する、従来のジャーテストによる凝集条件決定方法の一例の概略を示す。評価用水質測定装置１００は、評価用混和手段として評価用混和槽１０２と、評価用フロック形成手段として評価用フロック形成槽１０４と、評価用分離手段として評価用固液分離装置１０６と、を備える評価用凝集分離装置１１０と；処理水質測定手段として処理水質測定装置１０８と；を備える。例えば、評価用混和槽１０２において、被処理水に凝集剤が添加されて混和され、評価用フロック形成槽１０４においてフロックが形成され、評価用固液分離装置１０６において重力による沈降分離、ろ過等により固液分離が行われ、濃縮水と処理水とに分離される。処理水の水質は、処理水質測定装置１０８により測定される。
【００４７】
従来のオートジャーテスタは部品点数が多く、メンテナンス性が悪い、高価になるという課題がある。また、ジャーテスタは、同時に４条件〜６条件の試験が可能であるが、１回の試験には、従来のジャーテストでは、例えば、混和に３分、フロック形成に１０分、固液分離に１０分、処理水質の測定に１０分、合計３３分以上要する。実際の凝集分離処理において、被処理水の処理水質に応じて従来のジャーテストで凝集条件を決める場合、急激な被処理水の水質変動があった場合に、合計３０分以上要するジャーテストでは時間遅れが生じてしまい、急激な被処理水の水質変動に追従できず、処理水質が悪化する場合がある。
【００４８】
本実施形態に係る固液分離装置１により、高速で凝集分離を行うことができる。この固液分離装置１を備える水質測定装置３を、例えば、凝集、固液分離に最適な凝集剤の添加量等を決定する試験を行うジャーテスタまたはオートジャーテスタとして用いることにより、ジャーテストの高速化が可能となり、処理水質測定装置２０によって測定された処理水の水質に基づいて迅速に凝集分離処理の凝集条件等を決定することができる。そのため、被処理水の水質変動があっても、特に被処理水の急激な水質変動があっても、最適な凝集条件を追従させることができるため、処理水質の悪化が抑制される。ジャーテストをインラインで行うことができ、連続的に最適な凝集分離処理条件を決定することができる。
【００４９】
図４の水質測定装置３において、凝集剤と被処理水との混和（混和工程）は、ラインミキサ１８を用いて行われているが、ラインミキサ１８の代わりに、撹拌羽根等を有する撹拌装置を備える撹拌槽を混和手段として用いてもよいし、フロック形成手段および分離手段と同じ曲がりチャネル１０、またはフロック形成手段および分離手段とは別の曲がりチャネルを混和手段として用いてもよい。
【００５０】
図４の水質測定装置３において、フロック形成手段および分離手段は曲がりチャネルであるが、混和手段、フロック形成手段および分離手段が曲がりチャネルであってもよい。すなわち、フロック形成工程および分離工程を、曲がりチャネルを用いて行うが、混和工程、フロック形成工程および分離工程を、曲がりチャネルを用いて行ってもよい。
【００５１】
図４の水質測定装置３において、凝集剤と被処理水とを混和する混和工程に要する時間は、例えば、１秒〜６０秒程度、好ましくは５秒〜３０秒程度であり、凝集剤を含む被処理水中にフロックを形成するフロック形成工程に要する時間は、例えば、１０秒〜１０分程度、好ましくは１分〜５分程度であり、濃縮水と処理水とに分離する分離工程に要する時間は、例えば、１秒〜５分程度、好ましくは１秒〜１０秒程度であり、処理水の水質を測定する処理水質測定工程に要する時間は、例えば、１秒〜３０秒程度である。したがって、混和工程から処理水質測定工程に要する時間は、１０秒〜３分程度、好ましくは１０秒〜６０秒程度である。
【００５２】
上記の通り、曲がりチャネル１０における粒子の密度、流路中を流れる流体の流束、流路の曲率等のバランスを調整することにより、フロックの形成および分離を行うことができ、さらには、凝集剤と被処理水との混和、フロックの形成および分離を行うことができる。例えば、曲がりチャネル１０において、分離に最適な曲率に向けて、小さい曲率から漸近させることによってフロックの形成および分離を連続した曲がりチャネルで行うことができる。流路の断面積を最適な値に向けて漸近させてもよい。狭い流路では流束が高く撹拌がなされ、断面積が分離に最適である流路では分離がなされる。
【００５３】
図４の水質測定装置３をそのまま凝集分離装置として用いてもよいし、図４の水質測定装置３において、例えば、処理水質測定装置２０を除いたものを凝集分離装置として用いてもよい。例えば、凝集分離装置は、被処理水に凝集剤を添加するための凝集剤添加手段と、凝集剤が添加されて形成されたフロックを含む濃縮水と処理水とに分離するための分離手段と、を備え、分離手段が上記固液分離装置である。凝集分離装置は、被処理水と凝集剤とを混和するための混和手段と、混和された混和液中にフロックを形成するためのフロック形成手段と、をさらに備えてもよい。上記固液分離装置を、混和手段や、フロック形成手段として用いてもよい。また、凝集分離方法は、被処理水に凝集剤を添加する凝集剤添加工程と、凝集剤が添加されて形成されたフロックを含む濃縮水と処理水とに分離する分離工程と、を含み、分離工程において上記固液分離装置（固液分離方法）を用いる。凝集分離方法は、被処理水と凝集剤とを混和する混和工程と、混和された混和液中にフロックを形成するフロック形成工程と、をさらに含んでもよい。混和工程や、フロック形成工程において、上記固液分離装置を用いてもよい。
【００５４】
凝集剤としては、無機凝集剤および高分子凝集剤のうちの少なくとも１つが用いられる。
【００５５】
無機凝集剤としては、例えば、塩化第二鉄、ポリ硫酸第二鉄等の鉄系無機凝集剤、硫酸アルミニウム、ポリ塩化アルミニウム（ＰＡＣ）等のアルミニウム系無機凝集剤等が挙げられる。
【００５６】
無機凝集剤の添加量は、例えば、１〜１００ｍｇ／Ｌの範囲である。
【００５７】
高分子凝集剤としては、ノニオン性高分子凝集剤、アニオン性高分子凝集剤またはカチオン性高分子凝集剤等、特に制限されるものではないが、例えば、ポリアクリルアミド、ポリアクリル酸ナトリウム、アクリルアミド・アクリル酸塩共重合体、アクリルアミドプロパンスルフォン酸ナトリウム、キトサン、ジメチルアミノエチルメタクリレート、ジメチルアミノエチルアクリレートおよびポリアミジン等が挙げられる。高分子凝集剤は、１種単独でも、２種以上を組み合わせて用いてもよい。
【００５８】
高分子凝集剤の添加量は、例えば、０．１〜２ｍｇ／Ｌの範囲である。
【００５９】
混和工程において、必要に応じて、ｐＨ調整を行ってもよい（ｐＨ調整工程）。ｐＨ調整剤としては、塩酸、硫酸等の酸や、水酸化ナトリウム等のアルカリである。ｐＨは、例えば、４〜１１の範囲に調整すればよい。
【００６０】
処理水質測定装置２０は、処理水の水質を測定することができるものであればよく、特に制限はないが、濁度、色度、有機物濃度、粒子径、および粒子径分布のうちの少なくとも１つを測定する装置であることが好ましく、画像解析によって粒子径および粒子径分布のうちの少なくとも１つを測定する手段であることがより好ましい。
【００６１】
凝集分離処理（混和工程、フロック形成工程、分離工程）における液温度は、特に制限はなく、例えば、１５〜３５℃の範囲である。粘性等によって分離性が変わるため、液温度はできるだけ一定になるように調整することが望ましい。
【００６２】
水質測定装置および凝集分離装置における処理対象である被処理水は、例えば、懸濁物質等を含む水であり、例えば、河川水、工業用水、排水等が挙げられる。
【００６３】
本実施形態に係る凝集分離方法および凝集分離装置、または水質測定方法および水質測定装置により、例えば、懸濁物質濃度１〜１０ｍｇ／Ｌの被処理水を、９０％〜９９％の割合で除去することができる。
【００６４】
本実施形態に係る凝集分離方法および凝集分離装置、または水質測定方法および水質測定装置において、混和工程、フロック形成工程、分離工程を、それぞれ曲がりチャネルを用いて行ってもよい。
【００６５】
本実施形態に係る凝集分離方法および凝集分離装置、または水質測定方法および水質測定装置において、被処理水が、実機の凝集分離処理装置の入口水からサンプリングしたものであり、凝集分離装置の処理水質の測定結果に基づいて、実機の凝集分離処理装置の凝集条件を制御してもよい。例えば、処理水質測定装置によって測定された評価用処理水の水質に基づいて、実機の凝集分離処理装置において添加される凝集剤の量が制御されればよい。
【実施例】
【００６６】
以下、実施例および比較例を挙げ、本発明をより具体的に詳細に説明するが、本発明は、以下の実施例に限定されるものではない。
【００６７】
＜実施例１および比較例１＞
曲がりチャネルの流路の下内壁面の壁面流速が０より大きく（下内壁面がスリップ面である）、残りの内壁面の壁面流速が０である（残りの内壁面がノンスリップ面である）効果を確認する実験を行った。実施例１では、矩形状の流路の断面方向において下内壁面をスリップ面、他の３内壁面をノンスリップ面とした。比較例１では、矩形状の流路の断面方向の内壁面全てをノンスリップ面（壁面流速が０）とした。流体の密度は、９９８ｋｇ／ｍ３、粒子の密度は、１００５ｋｇ／ｍ３である。粒子の分離度は、実施例１が０．９５、比較例１が＜０．０５であった。
【００６８】
実施例１では、曲がりチャネルの流路の下内壁面がスリップ面であることによって、中心方向への流れが抑制され、外側下部に滞留しやすくなっていることがわかる。これによって、分離性が向上したと考えられる。
【００６９】
このように、実施例の固液分離装置は、流体に近い密度を有する粒子の流体からの分離性能に優れていた。
【符号の説明】
【００７０】
１  固液分離装置、３  水質測定装置、１０  曲がりチャネル、１２  被処理液ライン、１４  出口ライン、１６  処理液ライン、１８  ラインミキサ、２０，１０８  処理水質測定装置、２２  被処理水配管、２４  混和液配管、２６  濃縮水配管、２８  処理水配管、３０  凝集剤添加配管、１００  評価用水質測定装置、１０２  評価用混和槽、１０４  評価用フロック形成槽、１０６  評価用固液分離装置、１１０  評価用凝集分離装置。
【図１】
2020093230.tif 000003
【図２】
2020093230.tif 000004
【図３】
2020093230.tif 000005
【図４】
2020093230.tif 000006
【図５】
2020093230.tif 000007